(57)【特許請求の範囲】
【請求項１】
腹部経路によって鼠径ヘルニア治療するための腹壁補強材であり、
補強片（２）と、この補強片（２）に接続されたフラップ（３）とを備え、補強片（２）は、少なくとも複数のマルチフィラメント糸から成る透かし細工補綴編物により作られ、その結合のため精索の周囲にスリット（５）を有し、フラップ（３）が、スリット(５)の上で折り曲げることができ、
フラップ(３)が円環状の扇形をしており、その放射状縁部の一つを介して、スリット（５）を設けた補強片（２）の縁部の一つに接続され、フラップ（３）の形状は、フラップ（３）が前記スリット（５）の上で折り曲げられる時、補強片（２）の中間半分で、その縁部を越えて突び出ないように、接するようになっていることを特徴とする補強材。
【請求項２】
フラップ（３）が内接されると、円の半径が、80〜100mmの間、好ましくは90mmとなることを特徴とする請求項１に記載の補強材。
【請求項３】
補強片（２）が、一般的な楕円形をしており、恥骨に関して下腿部の湾曲に適合できる大曲率半径の下縁部（４ａ）と、小曲率半径の二つの端部（４ｂ、４ｃ）と、直線部分（４ｄ）を有した上縁部（４ｄ、４ｅ）と、曲部（４ｅ）とを備え、上部において、実質的に上方縁部の長手に沿って中間に、その直線縁部（４ｄ）に対して垂直に、配置されるスリット（５）が、精索を留め、補強片（２）を固定するため、内側端部を介して円形オリフィス（６）に通じることを特徴とする請求項１または２に記載の補強材。
【請求項４】
フラップ（３）が、補強片（２）の上で折り曲げられる、その面上に、補強片と統合またはそれに取り付けられて、補強片（２）の編物構造に固定または接合する手段、例えば把持手段を備えることを特徴とする請求項１〜３のいずれか一項に記載の補強材。
【請求項５】
フラップ（３）が、透かし細工で、ラン・プルーフ加工した補綴編物から作られており、補強片（２）の上で折り曲げられる面から突出したスパイク毛羽（８）を有しており、スパイク毛羽（８）が、モノフィラメント糸によって形成され且つ、補強片（２）の編物構造内に貫通できしかも編物構造から突出しない程度の長さを有することを特徴とする請求項４に記載の補強材。
【請求項６】
スパイク毛羽（８）の密度が、平方センチメートル当たり50個から90個の間であることを特徴とする請求項５に記載の補強材。
【請求項７】
スパイク毛羽（８）の長さが、1から2ミリメートルの間であることを特徴とする請求項５に記載の補強材。
【請求項８】
スパイク毛羽（８）を形成するモノフィラメント糸が、ポリプロピレンから作られることを特徴とする請求項５に記載の補強材。
【請求項９】
スパイク毛羽（８）を形成するモノフィラメント糸が、ｐ−ジオクサン、ポリグリコール化合物、ポリオルトエステルのポリマーと、トリメチレン炭酸塩のポリマーと、Ｌ−乳酸及びＤ−乳酸のステレオコポリマーと、Ｌ−乳酸のホモポリマーと、乳酸のコポリマーと、アルファ−ハイドロキシ酸の誘導体のような融和性コモノマーから成る群から選ばれた、生体吸収可能な材料により作られることを特徴とする請求項５に記載の補強材。
【請求項１０】
補強片が、それと一体型またはそれに取り付けられる、固定または結合のための手段、例えば主要面の一方及び／または他方から突出した、把持手段を備え、これら固定または結合手段が、補強片を配置しようとする組織に接触して固定または結合させることができることを特徴とする請求項１〜９のいずれか一項に記載の補強材。
【請求項１１】
補強片の固定または結合手段が、フラップを補強片に固定または結合する手段の構造と一致した構造を有することを特徴とする請求項１０に記載の補強材。
【請求項１２】
補強片が作られる編物が、接続糸によって接続される二つの多孔層と、二つの多孔層から開いたラン防止加工した横方向チャンネルを形成する織物を有することを特徴とする請求項１〜１１のいずれか一項に記載の補強材。
【発明の詳細な説明】
【０００１】
【発明の属する技術分野】
本発明は、鼠蹊部ヘルニアを腹部経路によりテンションなしで治療するための腹壁補強材に関するものである。
【０００２】
【従来の技術】
体壁不全（ほとんどの部分についてのヘルニア又は内臓脱出）の治療において、補強材の目的は、外科的修復に対し恒久的で機械的な支持を提供することである。補強材は、組織に馴染んで早い段階で統合されるとき、すべてが効果的であり、その局所的許容範囲はすべて好ましい。周辺繊維殻を形成することなく緊密に且つ、早期に統合するためには、移植片のマクロポロシティが出来るだけ広く外部に開いて、補強材の弾性が、壁の生理的変形に追随することが出来なければならない。その範囲は、標準ISO5081試験において10デカニュートン以上でなければならない組織の機械抵抗により、外科医の操作により、及び最大径が7から10ミリメートルの組織の孔を介して、ヘルニアが再発する可能性がないように定まっている。
【０００３】
編み物組織の形での腹壁の組織補強の原理は、科学的文献に数十年来知られて来た。多数の技術的対策が、詳細には米国特許明細書US 5,569,273、国際特許明細書WO 96/03091、欧州特許明細書EP 0,797,962、フランス国特許明細書FR 2,766,698 に、記述されている。これらすべては共通して、モノフィラメント又はマルチフィラメントのポリプロピレン又はポリエステルを編むことから成る。
【０００４】
【発明が解決しようとする課題】
既知の方法において、当該組織補強材は数多くの要件に合致しなければならない。詳細には、特に各方向に機械的強度を有し、生物的に適合で、柔軟で快適で、一定の弾性を有する一方、多孔質で透明で、縫合と裁断をすることが出来ると同時に裂けたり丸まったりせず、最後に殺菌可能で耐久性がなければならない。一般的に、これら補強材は交織糸の数枚のシートから作られている。
【０００５】
一方で鼠蹊部領域の構造に、他方で使用する外科技術に合致することの出来るこれら織物に特有の形態もまた、後方進入路（欧州特許明細書EP 0,836,838、国際特許明細書WO 95/07666、WO 96/41588）及び、前方進入路（米国特許明細書US 5,356,432、欧州特許明細書EP 0,812,724）の双方について数年に渡り知られて来た。一般的に、後方進入路用に設計された補強材は、寸法が大きく小数の固定ポイントのみを必要とするけれども、前方進入路用に設計された補強材は、寸法が小さく、（あらかじめ又は即席で）穴が空けてあって精索を囲むので、一方ではそれ自体で隙間を埋めるため、他方では排出内腹力に抗して、最後に周辺組織との迅速な統合を保証するため、比較的多くの固定を要する。
【０００６】
【課題を解決するための手段】
本発明は、特に前方進入路による鼠蹊部ヘルニアの治療に適合し筋肉前位置に配置する新型編み物補強材であり、それによって容易且つ素早く使用することができ、開業医にはその位置決めを、患者には効果的で機能的な修復を保証する。
【０００７】
本補強材は、補強片及びこの補強片に接続されたフラップを含む。補強片は、少なくとも部分的にマルチフィラメント糸を含む透かし細工の人造器官用編み物から作られ、精索を囲んで癒合させるためのスリットを有する。この人造器官用編み物は、詳細にはフランス国特許明細書第2,766,698号に記述されたものであり得る。フラップはスリットの上に折り曲げることが出来る。
【０００８】
【本発明の実施の形態】
本発明によると、フラップは扇面形であって、径方向縁部の一つを経て、補強片のスリット境界を定める縁部の一つに接続される。フラップの形状は、前記スリット上に折り曲げたとき、補強片の縁部を超えないでその中間半分に接するようなものとする。
【０００９】
補強材のスリット境界を定める縁部の一つへのフラップの接続は、フラップが補強片に完全に固定され、補強材が正しい位置に置かれた後、補強材のこの縁の位置が完全に保たれることを可能にする。
【００１０】
フラップ形状が上述の扇面形であることより、フラップは、このフラップとこの補強片との完全な接続のため、大きな面で補強片に接触することが出来る。この形状は同時に、フラップの内側弧状縁部が精索と干渉せず、このフラップの外側弧状縁部が外向きに補強片の縁部を超えて伸びないので、周辺組織と干渉しないことを保証する。
【００１１】
フラップの形状はさらに、有利には補強材が正しい位置に置かれたときこのフラップの補強材に対して折り曲げられる。
【００１２】
フラップが接する円の径は80から100mm、詳細には90mmとすることが出来る。
【００１３】
本発明の好適実施例によると、補強材は大凡楕円形で、下腿部の湾曲に恥骨に関して整合することの出来る大曲率半径の下縁部と、小曲率半径の二つの端部と、及び直線部分と曲線部分を持つ上縁部を含む。スリットが、上縁の長さ方向ほぼ半分の位置に直線部分と直交して配置され、その内側端を経て精索を留め、補強材を固定するための円形オリフィスに通じる。
【００１４】
この補強材は、その特殊形状のお陰で、弱い可能性のある領域全部を広く覆うと同時に正しい位置に置くのが容易であるとの、壁補強材に関する上述の従来要件を満足させる。
【００１５】
スリット上部は、大斜筋腱膜下で補強材を横方向部分に展開するのを容易にする。精索を受ける円形オリフィスは、この索の上への剪断ストレス全てを抑制し、補強材の位置決めと固定を改善する。
【００１６】
フラップは、補強材の上に折り曲げられる面に、補強片の編み物構造に固定又は接合するため、統合され又は取り付けられる手段、例えば握持手段、を具備するのが好適である。
【００１７】
一実施例においてフラップは、上記に規定する要件を満足する人造器官用編み物から作られており、補強片の上に折り曲げられる面から突出し、それから飛び出さない程度に、補強片の編み物構造を貫通して取り付けられる、モノフィラメント糸で形成されたスパイク毛羽を具備する。
【００１８】
用途によっては、このモノフィラメント糸は生体適合ポリマー又は生体吸収物質で作られっる。
【００１９】
フラップを補強材の上に折り曲げると、スパイク毛羽が補強材編み物のマルチフィラメント糸との間に系合し、これがフラップを確実に正しい位置にロックする。このロックは、スリットの閉鎖に十分で、接線方向ストレスに対し機械的抵抗を与える一方で、位置調節のため引っ張ってフラップを外すことが出来る。
【００２０】
スパイク毛羽の密度は、使用人造器官用編み物の関数として決まるが、平方センチメートル当たり50個から90個の間である。
【００２１】
同様に、取付シートから突き出る根元から毛羽の頂点まで測った毛羽の長さは、補強片を形成する人造器官用編み物厚さの関数であるが、1から2ミリメートルの間である。
【００２２】
補強材自体は、固定又は接合のため、補強材に統合して又は取け付る手段、例えば、その主要面の一つ及び／又は他から突き出た握持手段を具備することが出来る。これらの固定又は接合手段は、この補強片を置こうとする組織に接触して、組織に対するこの補強片の固定又は接合を可能にする。
【００２３】
これらの固定又は接合手段は、上述のフラップを補強片に対して固定又は接合するための手段と同様の構造を有することが出来る。
【００２４】
補強片を作る編み物は、「横編み」型とすることも、接続糸を用いて接続された二つの多孔性層を持たせることも出来る。製織は二つの多孔性層から外に開くラン防止横方向チャンネルを形成する。
【００２５】
他の特性及び利点は、以下の記述から明らかになるであろう。ここでは本発明による鼠蹊部補強材の、一例として示した、実施例を示した添付図面を参照する。
【００２６】
図面は、鼠蹊部ヘルニアを腹部経路によりテンションなしで治療するための腹壁補強材を示している。
【００２７】
この補強材は、補強片２及びこの補強片２に接続されたフラップ３を具備している。
【００２８】
補強片２は、本記述の前半で述べた要件を満足する編物から作られている。一実施例において、この編物は、接続糸で接続された二つの多孔性面を有する三次元透かし細工で、例えば、フランス国特許明細書第2,766,698号に定義された編物で作られている。
【００２９】
図２に示すように、補強片２は、上から見ると、楕円形である。楕円は曲率半径の大きい下縁部４ａ、曲率半径の小さい二つの横縁部４ｂ、４ｃ、及び曲率半径の大きい直線部分４ｄとを有する部分４ｅとが作る上縁部から成る。上縁部の形状は、前鼠蹊部領域に固有に及び一層正確に外部斜筋の腱膜、結合腱へ進入路、及び直筋の腱膜切開後に形成される空間に、適合する。後者は、外部斜筋の腱膜付着点と直筋のそれとの間に固定されている。この解剖学的非対称性はフラップ３の存在と相俟って、右側補強材と左側補強材とがあることを意味する。示した補強材は（患者に対して）右側補強材である。下縁の曲率半径４ａが大きいことにより、下腿部湾曲に恥骨に関して完全に整合することが出来る。
【００３０】
この補強材は、その上縁４ｄ−４ｅに沿ってほぼ真ん中の位置に、４ｄの直線縁部に直交し幅のほぼ半分を覆うスリット５を有する。このスリット５の内縁部は、円筒形オリフィス６に通じている。これは、例えば、径が3から7ミリメートルである。
【００３１】
フラップ３は、扇面形形状であり、その径方向縁部の一つを経て補強片２のスリット５を限定する縁部の一つに接続されている。これは補強片２の面よりも数倍小さな面積で伸び、半径90mmの円で接する。
【００３２】
フラップ３は、内外弧状縁部の凹型がオリフィス６の方向を向くように、補強片２に接合される。
【００３３】
フラップ３は、透かし細工の人造器官用の、例えば、ポリエステルマルチフィラメント合成糸で作った、ラン防止加工編物である。補強材には縦方向縫製又は継ぎ目７を用いて補強片のスリット５を限定する縁部の一つに平行し隣接して接合される。このフラップの編物はまた、その面の一つから突出したスパイク毛羽８を形成するモノフィラメント糸をも具備している。
【００３４】
用途によっては、このモノフィラメント糸は、ポリプロピレンのような、生体適合ポリマー、又は、例えば、ｐ−ジオクサン（polyglycolides）、ポリグリコール化合物、ポリオルトエステル（polyorthoesters）のポリマーと、トリメチレン炭酸塩（trimethylene carbonate）のポリマーと、Ｌ−乳酸及びＤ−乳酸のステレオコポリマーと、Ｌ−乳酸のホモポリマーと、乳酸のコポリマーと、アルファ−ハイドロキシ酸の誘導体のような融和性コモノマーから成る群から選んだ生体吸収物質で作られる。
【００３５】
これらスパイク毛羽８は、補強片２の編み物構造の網目及び、糸繊維の間に単純な圧力で貫入するには十分であるが、この構造を完全に貫通するには不十分な長さを有する。例示すると、厚さが1.5と2.2ミリメートルとの間の人造器官用の編物については、編物の一面から突き出る根元から毛羽の頂点まで測った毛羽の長さは、1ミリメートルと2ミリメートルとの間である。
【００３６】
図７は、補強片２及びシート８の編物構造を図示している。この図において、参照番号９と１０は、補強材２の二枚の多孔質シートを定義するマルチフィラメントポリエステル糸を指し、参照番号１１は、二枚のシートの間に接続を与え組織にその三次元特性３を与えるマルチフィラメント糸を指し、参照番号１２と１３は、網目が定義し、シートに多孔性及び透明性を与えるセルを指す。この図はまた、フラップ３の編物もまた、その一面から突き出て、フラップ３を補強片２に当てたとき網目の中及び網目の糸の間に、突出して挟まるスパイク毛羽８を具備することを示していている。
【００３７】
スパイク毛羽８の密度は、編み物構造２及び３を形成するため使用された織物と糸に左右されるが、一般的に平方センチメートル当たり50個と90個との間である。
【００３８】
補強片２及びフラップ３は、図２に示した状態であるが、フラップ３を補強片２の下に、その突起がこの補強片２と接触するものの反対面から突き出るように折り曲げられている。
【００３９】
フラップ３は、例えば、図７及び８を参照して記述する方法により得られる握持型編物から、得られまたは形作られる。
【００４０】
握持型編物は、図７に示すように、トリコット又はラッシェル型のたて編機上で、少なくとも三つのシート又は縦糸及び同数のガイド棒を用いて編まれる。
【００４１】
後方棒は、一つのガイドを通して、一つのガイドを通さないで（one guide full and one guide empty）、生体適合熱溶融ポリマー、例えばポリプロピレンの径0.10ミリメートル超の、モノフィラメントを織り交ぜる。実際には、この径は0.14ミリメートルと0.18ミリメートルとの間で、約0.15ミリメートル程度である。この糸は、図７で参照番号１１０を用い実線であらわす。
【００４２】
中間棒は、一つのガイドを通して、三つのガイドを通さないで（one guide full, three guides empty））マルチフィラメントポリエステルを織り交ぜるが、これはなたモノフィラメントポリエステル又はモノフィラメント若しくはマルチフィラメントポリプロピレンを織り交ぜることも出来る。この糸は、図７で破線により参照番号１１１であらわす。中間棒は、網目の柱の間にジグザグ透かし模様を得るように働く。
【００４３】
最後に、一方のガイドを通して、一つのガイドを通さないで（one guide full and one guide empty）、鎖編みを行う前方棒は、ポリエステル又はポリプロピレンのマルチフィラメント又はモノフィラメント糸及び、例えば、マルチフィラメントポリエステル糸を織り交ぜる。この糸は、図７で細線により参照番号１１２であらわす。チェイン縫いは、糸１１１により形成される中間シートを用いて編物の形成に役立つ一方で、モノフィラメント１１０を縛って編物を長く保つ。各種の糸は以下のチャートににしたがって行われる。
【００４４】
0004410959.tif 000002
【００４５】
後棒は部分織りの糸を鎖編みにし、鎖編みを形成しない針の上に送られる。このため、次の例では、鎖編みを形成しない針が供給されず、モノフィラメントメッシュを逃がし、ニットの表面から飛び出すループ１１４ａを形成する。
【００４６】
中間棒における糸通し−一つのガイドを通して(one guide full)、三つのガイドを通さないで(three guides empty)−が、移動に伴い、幅の安定した、透かし細工され、軽い生地を形成することができ、良好な組織統合を可能にする。
【００４７】
このようにして得られたニット１１４は、その面の一つに垂直なループ１１４ａを備え、そのループの直角における剛性および保持性は、使用されるモノフィラメントの剛性もしくは腰の強さによって得られる。この剛性は、後続のグリップ機能を確かなものにするスパイク毛羽の形成に必要である。
【００４８】
他の実施例においては、ループおよびそれに続くスパイク毛羽を形成するモノフィラメントは、例えば、ｐ-ジオクサノン、ポリグリコール化合物、ポリオルトエステルのポリマー、トリメチレンカーボナイトのポリマー、Ｌ-乳酸とＤ-乳酸のステレオポリマー、Ｌ-乳酸のホモポリマー、アルファ−ヒドロキシ酸の誘導体のような乳酸と融和性コモノマーのポリマーから成る群から選ばれる微生物吸収性の熱溶融材で作られている。
【００４９】
繊維から離れる際、ニット１１４は、その長さと幅を安定させる熱硬化加工を施され、その後、図８に示すように突出羽毛立ち８の形成段階にはいる。この毛羽８の形成段階は、ニットを電気加熱抵抗器を内蔵するシリンダー１１３上を通過させる工程からなる。ニット１１４は、二組のローラー、即ち、上方のローラー１１５ａ、１１５ｂおよび下方のローラー１１６ａ、１１６ｂによってシリンダー１１３上に平らに押し付けられる。これらのローラーは、押圧力を制御するため、垂直方向に移動することができる。
【００５０】
シリンダー１１３内に設けられた抵抗器の温度およびシリンダー上を通過するニット１１４の速度の制御と同様に、この制御は各ループ１１４ａのヘッドを溶解し、その端部にマッシュルームや穂状部１１７ａを有する毛羽１１７を形成する。垂直に突出する表面から穂状部の頂点まで測定した補状けば８の長さＳは、ニット構造物の厚さＥより小さく、1ミリから2ミリの間に決められている。
【００５１】
用途によって、補強片２を有するニット構造物は、細胞の一体化および／または局部的許容度を促進する物質で被覆する場合もありしない場合もある。
【００５２】
サイズの異なる相似形状の二つの補強片を有する補強片２の形状は、患者の大きさに関わらず、鼠蹊部の腹壁の生理的に弱いゾーン、即ち、中央の直接開口部および側部の間接開口部を全て広範囲にカバーすることを可能にする。
【００５３】
補強片を移植する条件を図３ないし図５を参照しながら説明する。
【００５４】
図３の参照符号２０は、患者の鼠蹊部を示しており、外科医が5ないし8センチ程度の皮膚を切開し、横臥した位置で表される外斜筋２３の腱膜の切開部は、精索２４の骸格化(skeletize)が進行しており、ヘルニア嚢を経路に押し戻し、内斜筋２５の縁部および横筋筋膜２６が解剖されている。
【００５５】
これは補強材の設置とともに腹側の経路によって鼠蹊部ヘルニアを治療するために鼠蹊ヘルニアにアクセスする従来の技術である。
【００５６】
図４に示す移植の次の段階では、外科医は下記の治療を行う。
−上向きのスリット５および開口したフラップ３を有する補強片を用意する、
−索状組織２４の周囲へスリット５を固定する、
−足穹隆（鼠蹊靭帯）に合うように補強片２の湾曲を大きくする、
−補強片２の完成、後者は、欠陥の潜在的ゾーンを全面的にカバーするように索状組織をオリフィス６内に位置づけることによって、完全に中心におかれる。
【００５７】
図５に示すように、この位置決め段階の最後に、フラップ３はスリット５を広げるように折り返され、スパイク毛羽８が補強片2のニット構成物に付着し、スリット５を閉鎖する。
【００５８】
補強片２の展開を調整した後、フラップ２を外して、スリット５をうまく閉鎖し補強片２とフラップ２を折れ目無しで精索２４にストレスを加えることなくうまく接続するため、位置の調整に進むことが出来る。
【００５９】
フラップ３の形状により、大きい面積で補強片２と接触させ、このフラップの内側弧状縁部を精索と干渉させないことが出来る。フラップ３の外側弧状縁部は、その一部が補強片２の縁部を超えてその外側に伸びないので、周辺組織と干渉しない。
【００６０】
次の状態は、補強片２の、クリップ又は連続若しくは不連続縫合を用いる周辺組織への、下正中角での恥骨への、鼠蹊部靱帯の下縁部（下腿部湾曲）への、直筋腱膜の上縁部（腹壁）への従来型の固定法を含む。
【００６１】
適切な場合は、精索２４を囲む開口部の大きさを調整するため、縫合点をスリット５にすることが出来る。
【００６２】
治療は、外部斜筋の腱膜を縫合して皮膚を閉じることで終了する。
【００６３】
本発明による強化剤はこのように、次の利点を有する。
−弱い可能性のある領域を広く覆う解剖学的形状、
−フラップの存在を用いる容易な位置決め、
−フラップが補強片上に自動固定されることによる省力且つ簡単な固定、
−固定が可逆的なので、スリットの閉鎖を数回繰り返すことが出来る、
−フラップの自動固定性が、コードの周りの閉鎖を最大最適点に制限する、
−スリット上部が、大きい斜筋の腱膜下で補強片横方向部分の展開を容易にする、
−フラップ３を補強片２の上に折り曲げることが、鼠蹊部領域の正に最弱点、即ち横断筋膜の反対側、で厚さを二倍にし、それにより組織を強化する。
【図面の簡単な説明】
【図１】フラップを折り曲げる途中の補強材の透視図。
【図２】フラップを補強片の上に折り曲げたときの平面図。
【図３】精索スケレタイゼーション直後の、ヘルニア治療の部分的平面図。
【図４】補強材の位置決め及びフラップ固定前の補強片を示した図３の拡大図。
【図５】補強材の位置決め及びフラップ固定前の補強片を示した図３の拡大図。
【図６】従来型でない方法で、補強片及びフラップの編物構造をそれぞれ示す図示的側面図。
【図７】図７による熱処理の後、スパイク毛羽付きフラップを得ることが可能な手段による握持型編み物三枚のシートによる織物を、一例として示した図。
【図８】スパイク毛羽を形成することの出来る装置を示した側面図。
【符号の説明】
２    補強片
３    フラップ
４ａ  下縁部
４ｂ  横縁部
４ｃ  横縁部
４ｄ  上縁部
４ｅ  上縁部
５    スリット
６    オリフィス
７    継ぎ目
８    スパイク毛羽、シート
９    マルチフィラメントポリエスター糸
１０  マルチフィラメントポリエスター糸
１１  マルチフィラメント糸
１２  網目
１３  網目
２３  外斜筋
２４  精索
２５  内斜筋
２６  横筋筋膜
１１０モノフィラメント
１１１  糸
１１２  糸
１１３  シリンダー
１１４  ニット
１１４ａループ
１１５ａローラー
１１５ｂローラー
１１６ａローラー
１１６ｂローラー
１１７  毛羽
１１７ａ穂状部
【図１】
0004410959.tif 000003
【図２】
0004410959.tif 000004
【図３】
0004410959.tif 000005
【図４】
0004410959.tif 000006
【図５】
0004410959.tif 000007
【図６】
0004410959.tif 000008
【図７】
0004410959.tif 000009
【図８】
0004410959.tif 000010